【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】第１の端部及び対向する第２の端部を備えた第１の部材と、 第１の端部及び対向する第２の端部を有し、内側部材の少なくとも一部に円周方向に係合する第２の部材と、第１の形状を有し、前記内側部材の前記第１の端部に接続されている第１のテンプレート部材と、 前記第１の形状に近い第２の形状を有する第２のテンプレート部材と、を有し、前記第２のテンプレート部材は、前記外側部材の前記第１の端部に接続されており、前記第１のテンプレート部材に整列した第１の位置から前記第１の位置に関して約１８０°の位置の第２の位置まで前記第１のテンプレート部材に関して可動である手術場所をつくるテンプレート。
【請求項２】 前記外側部材は、前記第２のテンプレートに整列したガイドを有し、前記第１の部材の第１の端部は、ポスト延長部を有する請求項１に記載のテンプレート。
【請求項３】 前記第１の形状及び前記第２の形状は円形部分を含む請求項１に記載のテンプレート。
【請求項４】 前記第２の位置において、前記第１のテンプレート部材及び前記第２のテンプレート部材は、外科手術場所に隣接して配置された外側スリーブ組立体の領域に近い領域を画定する請求項３に記載のテンプレート。
【請求項５】 前記第１の部材を前記第２の部材に選択的に固定する固定機構を有する請求項１に記載のテンプレート。
【請求項６】 遠位端及び第１の直径を有する軸と、前記遠位端に隣接して配置されるとともに前記切削器具の中央開口と係合する拡大案内部分とを有し、前記拡大案内部分が、第２の直径を有し、前記第２の直径は、前記第１の直径より大きい、中央開口部を備えた回転切削器具の案内部材。
【請求項７】 前記拡大ガイド部分はテーパを有する面を含む請求項６に記載の案内部材。
【請求項８】 長手方向を有する軸を有するとともに前記長手方向の軸線に沿って延び、通常の椎間板の空隙に近い第１の作業分離高さを画定する第１の対の対向面と、長手方向の軸に沿って延び、第２の通常の椎間板の空隙高さに近い第２の作業分離高さを画定する第２の椎間板の対向面と、を有する分離ヘッドを備えたディストラクタ。
【請求項９】 前記第１の作業分離高さは１０ｍｍであり、前記第２の作業分離高さは１２ｍｍである請求項８に記載のディストラクタ。
【請求項１０】 前記第１の作業分離高さは、８ｍｍであり、前記第２の作業分離高さは１０ｍｍである請求項８に記載のディストラクタ。
【請求項１１】 第１の作業通路及び第１の骨係合端部を有する第１の管と、第２の作業通路及び第２の骨係合端部を有するとともに前記第１の骨係合端部に隣接して配置された前記第２の骨係合端部を有する前記第１の管に接続された第２の管と、前記第１の作業通路と前記第１の骨係合端部及び第２の骨係合端部に隣接した第２の作業通路との間に配置された中央分離延長部と、 前記中央分離延長部に対向する前記第１の骨係合端部から延び、第２の高さを有する第１の側方延長部と、 前記中央分離延長部に対向した前記第２の骨係合端部から延びる第２の側方延長部と、を有し、前記第２の側方延長部は第３の高さを有し、前記第１の高さは、前記第２の高さ及び前記第３の高さより高く、前記中央分離延長部分は、椎間板の空隙に分離を維持し、前記第１及び第２の側方延長部は、前記第１及び第２の通路に隣接する組織が侵入することを防止する椎間板の空隙に保護された通路を画定するガイドスリーブ組立体。
【請求項１２】 前記骨係合端部は、椎体に係合するスパイクを含む請求項１１に記載のガイドスリーブ。
【請求項１３】 前記組立体は、前記骨係合端部と反対側の近位端を有し、前記近位端は、第１の幅を有し、前記第１の骨係合端部及び前記第２の骨係合端部は、第２の幅を画定し、前記第１の幅は前記第２の幅より大きい請求項１１に記載のガイドスリーブ。
【請求項１４】 内側通路を画定する第１のバレルと、内側作業通路を画定する第２のバレルと、を有し、 第１の管は長手方向の軸線を備えたガイドスリーブ組立体を画定するために第２の管に連結されており、前記ガイドスリーブ組立体は、近位部分と、患者に挿入する対向する遠位部分と、を有し、前記近位部分は第１の幅を有し、前記遠位部分は前記長手方向の軸線を横断する方向の第２の幅を有し、前記第２の幅は、前記第１の幅より小さいガイドスリーブ組立体。
【請求項１５】 前記第１のバレル及び前記第２のバレルの各々は、壁の厚さを有し、前記第１のバレル及び第２のバレルの壁厚は前記遠位部分に隣接して縮小されている請求項１に記載のガイドスリーブ組立体。
【請求項１６】 前記第１のバレル及び第２のバレルは円形の断面を有する請求項１４に記載のガイドスリーブ組立体。
【請求項１７】 内側作業通路を形成するとともに、外側面を備え、前記外側面から前記内側作業通路に延びる少なくとも１つのウインドウを画定する管と、前記ウインドウに隣接する前記外面に配置され、前記外面に摺動可能に配置されたカバーと、を有するガイドスリーブ。
【請求項１８】 前記カバーは前記外側面で摺動可能に配置されている請求項１７に記載のガイドスリーブ組立体。
【請求項１９】 前記カバーは第１のウインドウカバー位置と第２のカバーされない位置との間で摺動可能である請求項１７に記載のガイドスリーブ。
【請求項２０】 前記カバーは一部がシリンダである請求項１７に記載のガイド組立体。
【請求項２１】 前記一部のシリンダは、約２００°に延びている請求項２０に記載のガイド組立体。
【請求項２２】 前記一部のシリンダは、約２７０°に延びている請求項２０に記載のガイド組立体。
【請求項２３】 前記カバーは外側に延びるフランジを有し、前記フランジは前記外側面に隣接して配置された組織を収縮させる請求項１７に記載のガイド組立体。
【請求項２４】 前記管は上側と下側とを有し、前記管は、前記上側にウインドウを、前記下側に開口を有し、前記カバーは前記上側の前記開口をカバーする、請求項１７に記載のガイド組立体。
【請求項２５】 前記カバーは下側に開口を有する請求項２４に記載のガイド部材。
【請求項２６】 前記カバーは前記上側及び下側の開口をカバーする請求項２４に記載のガイド組立体。
【請求項２７】 複数のトラフによって分離された複数の切削刃を有し、内側室及び前記トラフと前記内側室との間に延びる開口を画定するリーマヘッドと、前記リーマヘッドに接続された軸と、を有し、前記軸は、長手方向の軸線と中に開口を有する外面と前記開口に連通する内側通路を画定し、前記内側溝は、前記内側室に連通しており、切削動作の間前記内側室に入る切削クズは、前記軸の前記内側通路を介して出るリーマ。
【請求項２８】 前記軸は、前記リーマヘッドに隣接する第１の直径部分と、前記リーマヘッドから間隔を置いた第２の直径部分とを有し、前記第２の直径部分は前記第１の直径より大きい請求項２７に記載のリーマ。
【請求項２９】 前記内側通路は、前記軸の長手方向に関して急な角度で延びている請求項２７に記載のリーマ。
【請求項３０】 通路を画定し第１の直径を画定する第１の位置と第２の直径を画定する第２の直径との間で可動な複数の可撓性フィンガを画定する第１の管状部材と、前記第１の管状部材の周りで配置された第２の管状部材とを有し、前記第２の管状部材は、前記可撓性フィンガに隣接して配置されたクランピング端部を有し、前記クランピング端部は、拡大された第１の内径部分及び縮小された内径部分を有し、前記第２の管状部材は、前記第１の管状部材に関して離脱位置及び係合位置に摺動可能であり、前記離脱部分は、前記拡大された内径部分は前記第１の部分に移動することができるように前記可撓性フィンガに隣接して配置され、前記係合位置は、前記縮小された内径位置が前記可撓性フィンガを前記第２の位置に押すように前記可撓性フィンガに隣接した位置に配置される、器具の軸に選択的に係合する深さ停止部。
【請求項３１】 前記器具の軸は、一連の管状溝を有し、前記フィンガは、管状溝に係合する対応する突出部を有する請求項３０に記載の深さ停止部。
【請求項３２】 前記第２の管状部材は、前記係合位置に偏倚される請求項３０に記載の深さ停止部。
【請求項３３】 第１の接続端部を有する軸と、軸部分を備え、第２の接続端部を有する切削縁部と、 前記第１の接続端部と第２の接続端部を接続する接続機構と、有する椎骨または隣接する組織の一部を取り除くためのモジュラー型脊椎切削器具。
【請求項３４】 前記切削ヘッドはリーマの切削ヘッドである請求項３３に記載の器具。
【請求項３５】 前記切削ヘッドはタップである請求項３３に記載の器具
【請求項３６】テンプレート本体を有し、このテンプレート本体は第１の開口を有する第１の部分と第２の開口を有する第２の部分とを有し、前記第２の部分は前記第１の部分に可動に結合され、前記第１の開口が第２の開口に整列する第１の位置と第２の開口が前記第１の開口から離れる第２の位置との間で可動である案内された切削を行う拡張可能なテンプレート。